【事件の表示】
　平成　７年特許願第　９０４９８号「軸受密封装置」拒絶査定に対する審判事件［平成　８年　１月　９日出願公開、特開平　８−　　４７７６］について、次のとおり審決する。
【結　論】
　本件審判の請求は、成り立たない。
【理　由】
Ｉ．手続の経緯・本願発明の認定
　本願は、平成７年４月１７日の出願（優先権主張　平成６年４月１８日）であって、その請求項１乃至３に係る発明は、平成１１年５月１７日付けの手続補正により補正された明細書及び図面の記載からみて、その特許請求の範囲の請求項１乃至３に記載された事項により特定されるとおりのものと認められるところ、その請求項１には次のとおり記載されている（以下、請求項１に係る発明を「本願発明」という。）。
　
「【請求項１】　回転軸（２）およびこれを支える軸受（４）を収納する軸受箱（５）の側面に、軸受内の潤滑剤の漏洩を防止する第１のシール（8a) および軸受内への異物の侵入を防止する第２のシール（8b）をこの順に、第１のシールのリップおよび第２のシールのリップがいずれも軸受箱の外側に向くように設け、これら２枚のシール（8a、8b）間に形成される空間（Ｓ）内に除塵、除湿した気体を吹き込む気体配管（11）を接続したことを特徴とする軸受密封装置。」
　
II．引用刊行物及びそれらの記載内容
　
　これに対して、原査定の拒絶の理由に引用された下記刊行物には、以下の技術的事項が記載されている。
　
刊行物１：実願昭６０−４７０１５号（実開昭６１−１６３１３６号）　
　　　　　のマイクロフィルム
刊行物２：実願昭５１−０００３６３号（実開昭５２−９２１６７号）　
　　　　　のマイクロフィルム
刊行物３：実願昭５６−０７１６４３号（実開昭５７−１８２６６４号）　
　　　　　のマイクロフィルム
　
１．刊行物１
　上記刊行物１には、「主軸頭のエアーカーテン装置」（考案の名称）が記載され、図面とともに以下の技術的事項が記載されている。
　
ア．「スピンドルを回転自在に支持する軸受を備えかつ前端面を閉塞する遮閉壁を形成した主軸頭に、上記軸受よりスピンドル先端側においてスピンドル外周面に嵌込まれる環状のオイルシールを設け、このオイルシールと上記遮閉壁との間にスピンドル外周を取り囲む環状のエアー室を形成するとともに、エアー供給源と上記エアー室とを連通させたエアー通路を形成し、上記エアー室内の遮閉壁側にスピンドル外周面に嵌込まれる一枚リップ形の環状シールを設け、この環状シールを上記オイルシールに対し背を向けた状態に装着したことを特徴とする主軸頭のエアーカーテン装置。」（実用新案登録請求の範囲第１項）
　
イ．「上記本体４の軸受２よりスピンドルの先端側において、スピンドル３の大径部３ａの外周面に１枚のリップ７ａを接触させて環状のオイルシール７が装着され、本体４からの油洩れを阻止している。さらに、上記遮閉壁５の一側壁にエアー供給源と連結されるエアー供給口８が開口されているとともに、このエアー供給口８に連通し中心に向って伸びたエアー通路９が形成され、またこのエアー通路９と連通するスピンドル３の外周を取り囲む環状のエアー室１０が形成されている。すなわち、上記エアー供給口８から供給されたエアーは、エアー通路９を通ってオイルシール７と遮閉壁５間のエアー室１０に吹き込まれ、遮閉壁５の間隙６より外部へ放出されてエアーカーテンを形成するようようになっている。
　さらに、上記エアー室１０内のエアー放出側において一枚リップ形の環状シール１１がそのリップ１１ａをスピンドル３の外周面に緩く接触させて遮閉壁５に嵌着されている。この環状シール１１と上記オイルシール７とはそのリップ１１ａ、７ａを相反する方向にたがいに背を向けた状態に装着されている。」（第４頁第１６行〜第５頁第１７行）
　
ウ．「エアー室１０に供給されたエアー圧は環状シール１１のリップ１１ａをわずか押し拡げ、リップ１１ａとスピンドル３の外周面との間に形成された微少間隙を通過して間隙６からエアーが吹き出し、（中略）切削粉や切削剤等がはね返され主軸頭１内に侵入するのが阻止され、」（第６頁第１０〜１７行）
　
　これらの技術的事項並びに明細書及び図面の記載からみて、上記刊行物１には、以下のとおりの発明（以下、「引用発明」という。）が記載されているものと認められる。
　
【引用発明】　スピンドル３およびこれを支える軸受２を収納する本体４と遮閉壁５の側面に、軸受内の油の漏洩を防止するオイルシール７および軸受内への異物の侵入を防止する環状シール１１をこの順に、オイルシール７のリップ７ａが本体４と遮閉壁５の内側に向くように、環状シール１１のリップ１１ａが外側に向くように設け、これら２枚のシール間に形成されるエアー室１０内にエアーを吹き込むエアー通路９を接続した主軸頭のエアーカーテン装置。
　
２．刊行物２
　上記刊行物２には、「回転軸の密封装置」（考案の名称）が記載され、図面とともに以下の技術的事項が記載されている。
　
エ．「回転軸の外側へ外筒を嵌装し、該外筒の内壁へ環状凹入部を設けると共に、該環状凹入部へ気体吹込管端と連通させると共に、前記環状凹入部の両側部へ回転軸との間のオイルシールを介装してなる回転軸の軸封装置」（実用新案登録請求の範囲）
　
オ．「回転軸１の外側へ外筒２を嵌装し、外筒２の取付フランジ３側内壁へ環状凹入部４を設けると共に、環状凹入部４の左右両側へオイルシール５、６を装着して取付フランジ３側およびベアリング７側をシールし、前記環状凹入部へ気体吸込管８を接続したもので、（中略）。
　上記実施例において、気体吹込管８より空気、窒素ガス又は炭酸ガスを０．２kｇ/cm2程度で吹き込めば、環状凹入部は陽圧となるので、取付フランジ３の内側より矢示１５のように粉粒体が侵入するおそれがなく、従ってオイルシール５、６が摩耗したり、ベアリングが故障を生じるおそれなく、かつベアリング７側より潤滑油が取付フランジ側へ侵入し、粉粒体を汚染するおそれもない。」（第２頁第１１行〜第３頁第７行）
　
　これらの技術的事項エ．及びオ．並びに明細書及び図面の記載からみて、上記刊行物２には、以下のとおりの発明（以下、「刊行物２記載の発明」という。）が記載されているものと認められる。
　
「回転軸１およびこれを支えるベアリング７を収納する外筒２と取付フランジ３の側面に、ベアリングの潤滑油の漏洩を防止するオイルシール６およびベアリング７への異物の侵入を防止するオイルシール５をこの順に、オイルシール６のリップが外筒２と取付フランジ３の内側に向くように、オイルシール５のリップが外側に向くように設け、これら２枚のシール間に形成される環状凹入部４内に気体を吹き込む気体吹込管８を接続した回転軸の密封装置。」
　
３．刊行物３
　上記刊行物３には、「回転軸の防水装置」（考案の名称）が記載され、図面とともに以下の技術的事項が記載されている。
　
カ．「回転軸１は軸受２により支持本体３に支持されていて、この軸受２の軸方向位置を規制している軸受押え５は先端部にオイルシール１２を収納している。そしてその先端外周には軸受押え５と共に支持本体３に取付けられている固定ラビリンス部材１８が細隙６をもって嵌装している。そしてオイルシール１２の前方には固定ラビリンス部材１８との間にエヤー溜用の室２０が形成されている。固定ラビリンス部材１８の嵌装部には第３図に示すように軸受押え側に途中まで不完全めねじ１４が削設されていて、更に回転軸１との間隙部には軸方向に複数の溝１５が刻設されている。（中略）
　前記流路１７にエヤーが送り込まれると、エヤーは不完全めねじ１４から嵌装部細隙６を通ってオイルシール１２の前方の室２０内にほゞ均等に吹き出されこの室２０に充満する。室２０内のエヤーは均一の圧力を有するのでエヤーは溝１５を経て前記凹凸細隙１０から円周上ほゞ均等に外部へ吹き出す。」（第４頁第８行〜第５頁第１６行）
　
　上記技術的事項カ．に関し、支持本体３と軸受押え５は、回転軸１およびこれを支える軸受３を収納するものであるから、「軸受箱」ということができる。
　よって、この技術的事項並びに明細書及び図面の記載からみて、上記刊行物３には、
「軸受箱の側面に、軸受内の潤滑剤の漏洩を防止するオイルシール１２および軸受内への異物の侵入を防止する固定ラビリンス部材１８をこの順に、オイルシール１２のリップが軸受箱の外側に向くように設け、オイルシール１２と固定ラビリンス部材１８間に形成される室２０内にエヤーを吹き込む流路１７を接続した回転軸の防水装置。」が記載されているものと認められる。
　以下、これを「刊行物３記載の発明」という。
　
III．対比・判断
　
　本願発明と上記引用発明とを比較すると、それぞれの有する機能に照らして、引用発明の「主軸頭のエアーカーテン装置」は本願発明の「軸受密封装置」に相当し、以下同様に、「スピンドル３」は「回転軸」に、「軸受２」は「軸受」に、「本体４と遮閉箱５」は「軸受箱」に、「油」は「潤滑剤」に、「オイルシール７」は「第１のシール」に、「環状シール１１」は「第２のシール」に、「エアー室１０」は「空間」に、「エアー」は「気体」に、「エアー通路９」は「気体配管」に、それぞれ相当する。
　従って、本願発明と引用発明の一致点及び相違点は、次のとおりである。
　
（一致点）
　回転軸およびこれを支える軸受を収納する軸受箱の側面に、軸受内の潤滑剤の漏洩を防止する第１のシールおよび軸受内への異物の侵入を防止する第２のシールをこの順に、第２のシールのリップが軸受箱の外側に向くように設け、これら２枚のシール間に形成される空間内に気体を吹き込む気体配管を接続した軸受密封装置。
　
（相違点１）
　本願発明が、第１のシールをそのリップが軸受箱の外側に向くように設けているのに対し、引用発明は、第１のシールをそのリップが軸受箱の内側に向くように設けている点。
（相違点２）
　本願発明が、気体配管を通じて空間内に吹き込む気体を除塵、除湿しているのに対し、引用発明ではその点が明らかでない点。
　
　そこで上記各相違点につき検討する。
　
１．相違点１について
　
　まず、前記II．３．にて指摘した刊行物３記載の発明を本願発明と対比するに、刊行物３記載の発明の「オイルシール１２」は本願発明の「第１のシール」に相当し、以下同様に、「室２０」は「空間」に、「エヤー」は「気体」に、「流路１７」は「気体配管」に、「回転軸の防水装置」は「軸受密封装置」に、それぞれ相当する。従って、刊行物３記載の発明を対応する本願発明の構成で表現すれば、
「軸受箱の側面に、軸受内の潤滑剤の漏洩を防止する第１のシールおよび軸受内への異物の侵入を防止する固定ラビリンス部材をこの順に、第１のシールのリップが軸受箱の外側に向くように設け、第１のシールと固定ラビリンス部材間に形成される空間内に気体を吹き込む気体配管を接続した軸受密封装置。」ということができる。
　
　ここで、刊行物３記載の発明は、軸受内への異物の侵入を防止するために、引用発明のようなリップ型のシールではなく（固定）ラビリンスを使用している。しかしながら、刊行物３記載の発明と引用発明は、少なくとも、軸受内の潤滑剤の漏洩を防止する第１のシール、および軸受内への異物の侵入を防止する機能を発揮する第２の部材を設け、それらの間に形成される空間内に気体を吹き込んだ軸受密封装置である点で、共通の技術分野に属するものである。すなわち、引用発明において２つのリップ型のシールが対になってシール機能を発揮させているのと同様に、刊行物３記載の発明においては、１つのリップ型のシールと（固定）ラビリンスが対になってシール機能を発揮しているのであり、かかる意味において、刊行物３記載の発明におけるオイルシール１２（第１のシール）のリップの向きを引用発明における第１のシールに適用することに、特に困難性はない。
　また、刊行物３記載の発明におけるオイルシール１２（第１のシール）も、室２０（空間）がエヤーによって均一の圧力に加圧されていることから、本願発明における第１のシールと同様に、リップ部が軸に押しつけられてシール性が高められているものと認められる。
　
　してみれば、第１のシールをそのリップが軸受箱の外側に向くように設けた刊行物３記載の発明を、引用発明に適用してその第１のシールを外側向きとし、上記相違点１に係る本願発明の構成とすることは、当業者が容易に推考し得たものである。
　
２．相違点２について
　圧縮空気等の気体を機械要素に供給する際に、あらかじめ除塵、除湿して供給することは、例えば、（社）日本油空圧学会編「新版　油空圧便覧」，株式会社オーム社，１９８９年２月２５日　第１版発行，５１０〜５１７頁に示されるように従来周知の技術的事項であり、これを引用発明に適用して上記相違点２に係る本願発明の構成とすることは、当業者が容易に想到し得たものに過ぎない。
　
３．対比・判断のむすび
　よって、本願発明は、引用発明に、刊行物３記載の発明及び周知の技術的事項を適用することよって、当業者が容易に想到し得たものである。
　さらに、刊行物２記載の発明は引用発明と同様のものであるから、本願発明は、同じように、刊行物２記載の発明に、刊行物３記載の発明及び周知の技術的事項を適用することよって、当業者が容易に想到し得たものともいえる。
　
IV．むすび
　以上のとおりであるから、本願発明は、刊行物１乃至３に記載された発明及び周知の技術的事項に基づいて当業者が容易に発明をすることができたものであるから、特許法第２９条第２項の規定により、特許を受けることができない。
　そして、前記のとおり、本願の請求項１に係る発明が特許を受けることができないものであるから、本願の請求項２及び３に係る発明について審究するまでもなく、本願は拒絶すべきものである。
　よって、結論のとおり審決する。